(57)【要約】【課題】読取位置における原稿面の位置が原稿台に対して垂直方向に変位しても照度変化を抑制可能であり、小型で照度の高い照明装置及びそれを用いた分光装置及び画像読取装置を得ること。【解決手段】本発明の照明装置は、光源手段と、原稿台に配置された原稿に前記光源手段から出射された光束を導光する導光体とを有し、副走査断面内において、前記光源手段の発光面の中心軸と前記原稿台が交わる交点は、副走査方向について前記原稿の読取位置と離間し、前記導光体は、前記光源手段から出射された光束が入射する入射面と、前記入射面から入射した光束を反射する反射面と、前記入射面から入射した光束及び前記反射面にて反射した光束を出射する出射面を備え、副走査断面内において、前記光源手段から出射された光束のうち光強度が最大である光束は、前記入射面にて前記発光面の中心軸に対して前記原稿の読取位置に向い曲げられていることを特徴とする。【選択図】図１
2010277070.tif 000002
【特許請求の範囲】
【請求項１】
光源手段と、原稿台に配置された原稿に前記光源手段から出射された光束を導光する導光体と、を有する照明装置であって、
副走査断面内において、前記光源手段の発光面の中心軸と前記原稿台が交わる交点は、副走査方向について前記原稿の読取位置と離間しており、
前記導光体は、前記光源手段から出射された光束が入射する入射面と、前記入射面から入射した光束を反射する反射面と、前記入射面から入射した光束及び前記反射面にて反射した光束を出射する出射面を備え、
副走査断面内において、前記光源手段から出射された光束のうち光強度が最大である光束は、前記入射面にて前記発光面の中心軸に対して前記原稿の読取位置に向けて曲げられていることを特徴とする照明装置。
【請求項２】
前記光源手段の発光面の副走査方向の長さをＰ（ｍｍ）、前記発光面から前記原稿の読取位置までの前記原稿の読取軸方向の距離をＨ（ｍｍ）、前記発光面の中心軸と前記原稿の読取軸との副走査方向の離間量をＬ（ｍｍ）、前記発光面と前記入射面との成す副走査断面内における角度をθ（°）、前記導光体の材料の屈折率をｎとするとき、
【数１】
2010277070.tif 000005
なる条件を満足することを特徴とする請求項１に記載の照明装置。
【請求項３】
前記光源手段は、発光面からの出射角度によって出射する光束の光強度分布が異なる特性を有するＬＥＤより成ることを特徴とする請求項１に記載の照明装置。
【請求項４】
副走査断面内において、前記原稿の読取軸の両側に前記光源手段及び前記導光体とが配置されていることを特徴とする請求項１乃至３の何れか１項に記載の照明装置。
【請求項５】
請求項１乃至４の何れか１項に記載の照明装置と、前記照明装置から出射された光束で照明された前記原稿で拡散された光束を受光手段に分光する分光手段と、を有することを特徴とする分光装置。
【請求項６】
請求項１乃至４の何れか１項に記載の照明装置と、前記照明装置から出射された光束で照明された前記原稿の画像情報を読取手段に結像させる結像光学系と、を有することを特徴とする画像読取装置。
【発明の詳細な説明】
【技術分野】
【０００１】
本発明は照明装置及びそれを用いた分光装置及び画像読取装置に関するものである。特に光源手段からの光束を導光体を用いて導光して照射対象物(原稿)を照明する際に好適なものである。
【背景技術】
【０００２】
従来からＬＣＤバックライトのように薄型化と照度の均一性が求められる照明装置として光源手段からの光束を導光体を用いて導光して照射対象物を照明するようにした照明装置が提案されている(特許文献１参照)。
【０００３】
更にはＬＥＤを光源として用いた場合に取り込む光量の効率アップを行うため光源手段からの光束を入射させる入射面の形状を変更した導光体を用いた照明装置が提案されている(特許文献２参照)。
【０００４】
特許文献１では光源から出射した光束を反射させる反射板と光誘導板の側端面を拡大して光源の側面に大きく延在して多くの光束を取り込む光取り込み面と光取り込み面以外の光誘導板の厚みを薄く形成したＬＣＤバックライト構造が開示されている。
【０００５】
また色情報を得るための分光装置において、色情報を有する画像を照明する照明装置として、キセノンランプからの光束を光ファイバーで導光する代わりにＬＥＤからの光束を照射対象物に向け配置して照明した照明装置が知られている。
【０００６】
特許文献２ではＬＥＤをサンプル画像に対して４５度傾けて、ＬＥＤからの光束でサンプル画像を照明する技術が開示されている。
【先行技術文献】
【特許文献】
【０００７】
【特許文献１】特開２０００−１３７２１８号公報
【特許文献２】特開２００５−２６５７５２号公報
【発明の概要】
【発明が解決しようとする課題】
【０００８】
上述の特許文献１に開示された照明装置は、ＬＣＤバックライト向けに構成されているため、被照射面の位置変動が起こらないが、被照射面の厚さ方向の位置が変動する場合には照度が変化してしまうという問題点がある。更に特許文献１の実施例に記載されているＬＥＤの配置では、ＬＥＤから出射する光強度のもっとも強い方向の光束を被照射面に対してほぼ水平にして入射させているため、被照射面の照度アップが見込めない。
【０００９】
上述の特許文献２に開示された照明装置では、照度アップのためＬＥＤをサンプル画像（被照射面）に対して４５度傾けて配置しており、このため被照射面の位置が変動すると照度の変化が大きくなってしまう。更にＬＥＤを傾けているためＬＥＤを保持する基板を斜めにする必要があり、照明部が大型化してしまうという問題点もある。
【００１０】
本発明は被照射面（原稿面）の読取位置が変動しても照度の変化を少なくすることができる、また小型でありながら照射効率の高い照明装置及びそれを用いた分光装置及び画像読取装置の提供を目的とする。
【課題を解決するための手段】
【００１１】
そこで、本発明に係る照明装置は、光源手段と、原稿台に配置された原稿に前記光源手段から出射された光束を導光する導光体とを有し、副走査断面内において、前記光源手段の発光面の中心軸と前記原稿台が交わる交点は、副走査方向について前記原稿の読取位置と離間しており、前記導光体は、前記光源手段から出射された光束が入射する入射面と、前記入射面から入射した光束を反射する反射面と、前記入射面から入射した光束及び前記反射面にて反射した光束を出射する出射面を備え、副走査断面内において、前記光源手段から出射された光束のうち光強度が最大である光束は、前記入射面にて前記発光面の中心軸に対して前記原稿の読取位置に向い曲げられている構成とした。
【発明の効果】
【００１２】
本発明によれば、原稿面の読取位置が変動しても照度の変化を少なくすることができる、また小型でありながら照射効率の高い照明装置及びそれを用いた分光装置及び画像読取装置を達成することができる。
【図面の簡単な説明】
【００１３】
【図１】本発明の実施例に関わる照明装置の副走査断面図
【図２】本発明の実施例１における照明装置の副走査断面図
【図３】本発明の実施例１における照明装置の主走査断面図
【図４】本発明の実施例１における原稿面位置およびその上下0.5mm位置における光量変化を示すグラフ
【図５】本発明の実施例２における照明装置の副走査断面図
【図６】本発明の実施例２における照明装置の主走査断面図
【図７】本発明の実施例２における原稿面位置およびその上下0.5mm位置における光量変化を示すグラフ
【図８】本発明の実施例１，２の照明装置を用いた分光装置の要部斜視図
【図９】本発明の実施例１，２の照明装置を用いた画像読取装置の要部概略図
【発明を実施するための形態】
【００１４】
以下、図面を用いて本発明の実施例を説明する。
【００１５】
図１は本発明の実施例に関わる照明装置の副走査方向（読取方向）の要部断面図（副走査断面図）である。図１では照射対象物としての原稿が、原稿搬送時において、その厚さ方向（Ｚ方向）に変動している（ばたついている。）様子を図示している。
【００１６】
尚、以下の説明において、原稿の読取方向である搬送方向をＹ方向（副走査方向）、原稿面内のＹ方向と垂直な方向をＸ方向（主走査方向）、原稿面の法線方向をＺ方向とする。
【００１７】
図１において、３は照明装置であり、光源手段101と導光体103とを有している。
【００１８】
本実施例における光源手段101は、例えばTopViewタイプのＬＥＤから成り、基板102に取り付けられている。ＬＥＤ101は発光面（光源面）105からの角度により出射する光束（光線）の光強度分布が異なる特性を有している。
【００１９】
導光体103は、後述する形状より成り、光源手段101と同様、基板102に取り付けられており、光源手段101から出射した光束を照射対象物としての原稿（原稿面および被照射面）104に導光（照明）している。
【００２０】
108は原稿台であり、カバーガラスより成り、その上部を原稿104が副走査方向（Ｙ方向）へ搬送される。
【００２１】
図１において、Ｆは、原稿104の読取軸とする。
【００２２】
次に本実施例における導光体103の形状について説明する。
【００２３】
本実施例の導光体103は光源手段101からの光束が屈折入射する入射面103aを有している。さらに入射面103aから入射した光束を全反射する全反射面103cを有している。さらに入射面103aから入射した光束（直接光束）と全反射面103cで反射した反射光（反射光束）を屈折し出射する第１の出射面103bを有している。さらに入射面103aから入射した光束（直接光束）を屈折し原稿104側へ出射する第２の出射面103dを有している。
【００２４】
副走査断面内において、上記導光体103の入射面103aは照射対象物としての原稿(原稿面)104の読み取る方向(Ｙ方向)に対して所定の角度θ傾いており、かつ光源手段101から出謝された光束のうち、光強度が最大である光束が直接入射するように設けられている。
【００２５】
また、副走査断面内において、本実施例の導光体103の全反射面103cは、原稿面104の読取方向と垂直な方向（Ｘ方向）において、該原稿面104の読取位置106に向かって幅が広くなるように形成されている。
【００２６】
また、本実施例においては、光源手段101から出射された光束の光強度が最大となる出射軸と原稿面(照射対象物)の交点Ｑと、照明された原稿面104を読み取る位置106とが読取方向(Ｙ方向)で離間して配置されている。
【００２７】
ここで光源手段101のＬＥＤの配光角度特性は、発光面105の面法線方向の光量が最大となり、面法線からの傾きが大きくなるに従って光量も徐々に減少していく。このため図１では光源手段101の発光面105の中央もしくはその近傍から直上にある導光体103の入射面103aに最も強度の高い光束が入射する。
【００２８】
ここで、導光体101の入射面（屈折面）103aを原稿面104の読取位置106の方向に傾けることで該入射面103aに入射した最も強度の高い光束aは屈折し、読取位置106の方向に曲げられる。曲げられた光束aは出射面103bから出射し、カバーガラス108の上部の原稿面104に到達する。
【００２９】
また、発光面105の面法線から傾きを持って出射した一方の光束ｂは入射面103aに入射した後、全反射面103cで全反射し、出射面103bから出射し、カバーガラス108の上部の原稿面104に到達する。
【００３０】
また、上記光束ｂとは逆方向に発光面105の面法線から傾きを持って出射したもう一方の光束ｃは入射面103aに入射した後、出射面103dから出射し、カバーガラス108の上部の原稿面104に到達する。
【００３１】
このように、最も強度の高い光束aを導光体103の入射面103aで曲げることで基板102を原稿面104に対して斜めにせずに強度の高い光束aを、光源手段101からの光強度が最大となる出射軸と原稿面の交点Ｑから読取方向(Ｙ方向)に離間している原稿面104の読取位置106に導くことが可能となる。
【００３２】
さらに、最も強度の高い光束aに対して角度を持って出射する光束を全反射面と屈折面の作用を用いて原稿面104に導くことで、原稿104がばたついたときの（Ｚ方向に変動したときの）位置変動での照度変化を低減している。
【００３３】
副走査断面内において、発光面105の中心から法線方向に出射した光束aが、原稿面読取側の発光面端部よりも原稿読取面側に向けて光束が曲げられることが好ましい。さらに、曲げられた光束aの前記読取位置を含む副走査断面内での到達する位置は、読取位置106よりも、発光面105の副走査方向の長さの半分程度さらに離れた位置よりも、前記副走査断面と発光面105の中心からの法線との交点側にあることが好ましい。
【００３４】
このため、光源手段101の発光面105の副走査方向の長さをＰ、発光面105から照射対象物（原稿）104の読取位置106までの原稿の読取軸F方向の距離をＨ、発光面105の中心軸Ｓと照射対象物104の読取軸Ｆの副走査方向における離間量をＬとする。さらに発光面105と入射面103aとの成す角度をθ、導光体103の材料の屈折率をｎとする。そのとき、発光面105の中心から発光面105の法線方向に出射した光束は、原稿の読取位置106から読取軸方向において｛H−(Ptanθ)/2｝の位置で入射面103aに入射して曲げられることになる。
【００３５】
この位置で光束は導光体103によって曲げられるが、発光面105の法線方向に対し、その曲げられる角度は、｛θ−acrsin((sinθ)/n)｝となる。
【００３６】
よって光束が読取位置106方向に変位する量は、H−(Ptanθ)/2を、tan{90−θ+arcsin((sinθ)/n))}で割ったものとなり、上記の好ましい条件から
【数１】
2010277070.tif 000003
となる。
【００３７】
本実施例では上記条件式(1)を満足するように各要素を設定することにより、原稿面（被照射面）104がばたついても照度の変化が少なくなるようにしている。
【００３８】
［実施例１］
次に本発明の照明装置の実施例１について説明する。
【００３９】
図２は本発明の実施例１の照明装置の副走査断面図であり、照明装置と照射対象物として画像情報を有する原稿を配置したときの状態を示している。図３は本発明の実施例１の照明装置の主走査断面図であり、照明装置と照射対象物として画像情報を有する原稿を配置したときの状態を示している。図２、図３では照射対象物としての原稿が、原稿搬送時において、その厚さ方向（Ｚ方向）に変動している（ばたついている。）様子を図示している。
【００４０】
図中、201は光源手段であり、例えば、TopViewタイプの白色ＬＥＤから成り、基板202に取り付けられている。本実施例のＬＥＤ201は、発光面（光源面）205からの角度により出射する光束の光強度分布が異なる特性を有している。
【００４１】
203は導光体であり、光源手段201と同様、基板202に接着剤等で取り付けられており、光源手段201から出射された光束をカバーガラス208の上部の原稿（照射対象物）204に導光（照明）している。
【００４２】
なお、光源手段201と導光体203の各要素は照明装置13の一要素を構成している。
【００４３】
本実施例における導光体203は光源手段201からの光束が屈折入射する入射面203aを有している。さらに入射面203aから入射した光束を全反射する全反射面203cを有している。さらに入射面203aから入射した光束を反射する複数の反射面203e,203fを有している。さらに入射面203aから入射した光束および全反射面203cで反射された反射光を屈折し出射する第１の出射面203bを有している。さらに入射面203aから入射した光束および複数の反射面203e,203fで反射された反射光を屈折し出射する第２の出射面203dを有している。
【００４４】
208は原稿台であり、カバーガラスより成り、その上部を原稿204が副走査方向（Ｙ方向）へ搬送される。
【００４５】
本実施例においては原稿台208の上部を原稿204が副走査方向へ通過する際に光源手段201から出射された光束を導光体203を介して原稿面204を照明している。そして原稿面204で反射され拡散された拡散反射光を不図示の読取光学系によりラインセンサー（ＣＣＤ）に導いている。
【００４６】
本実施例における光源手段201の白色ＬＥＤの配光角度特性は、発光面205の面法線方向の光量が最大となり、面法線からの傾きが大きくなるに従って光量も徐々に減少していく。このときＬＥＤは色の演色性の良い白色ＬＥＤにすることで、原稿面上での色ムラを低減することが可能となる。
【００４７】
導光体203は光源手段201から出射した光束の多くを入射面203aから取り込み、原稿面204の方向に曲げている。
【００４８】
導光体203をこのような形状にすることで光源手段201と導光体203とを同一基板202で保持することが可能となり、照明装置（照明系）の小型化に寄与している。このとき光源手段201から図の左側に出射する光束は導光体203へ取り込むことができないため、光源手段201の周囲に反射部材207としてシート状の反射板もしくは拡散シートを配置することで、光量のロスを少なくしている。
【００４９】
本実施例において導光体203の入射面203aに入射した光源手段204からの光束は、下記に示す９つの光路１〜９を経て原稿面204を照明している。
【００５０】
光路１は入射面203aに入射した光束が導光体203内を進み、出射面203bから出射して原稿面204に至る光路である。
【００５１】
光路２は入射面203aに入射した光束が導光体203内を進み、全反射面203cで全反射し、導光体203内をさらに進み出射面203bから出射して原稿面204に至る光路である。
【００５２】
光路３は入射面203aに入射した光束が導光体203内を進み、出射面203dから出射して原稿面204に至る光路である。
【００５３】
光路４、５、６は光路１、２、３の３光路において途中、図３に示す導光体203の反射面203eで反射する光路である。
【００５４】
つまり、光路４は入射面203aに入射した光束が導光体203内を進み、反射面203eで反射し、導光体203内をさらに進み、出射面203bから出射して原稿面204に至る光路である。
【００５５】
光路５は入射面203aに入射した光束が導光体203内を進み、全反射面203cで全反射し、反射面203eで反射し、導光体203内をさらに進み、出射面203bから出射して原稿面204に至る光路である。
【００５６】
光路６は入射面203aに入射した光束が導光体203内を進み、反射面203eで反射し、導光体203内をさらに進み、出射面203dから出射して原稿面204に至る光路である。
【００５７】
光路７、８、９は光路１、２、３の３光路において途中、図３に示す導光体203の反射面203fで反射する光路である。
【００５８】
つまり、光路７は入射面203aに入射した光束が導光体203内を進み、反射面203fで反射し、導光体203内をさらに進み、出射面203bから出射して原稿面204に至る光路である。
【００５９】
光路８は入射面203aに入射した光束が導光体203内を進み、全反射面203cで全反射し、反射面203fで反射し、導光体203内をさらに進み、出射面203bから出射して原稿面204に至る光路である。
【００６０】
光路９は入射面203aに入射した光束が導光体203内を進み、反射面203fで反射し、導光体203内をさらに進み、出射面203dから出射して原稿面204に至る光路である。
【００６１】
これら９つの光路１〜９を経た光束が原稿面204を照明することで光量を確保しつつ、原稿搬送時の原稿面204のバタツキ、すなわち原稿204の厚さ方向（Ｚ方向）の変動に際して光量変動の小さい照明系を提供している。
【００６２】
図４はこのときの原稿面204が、その厚さ方向（Ｚ方向）に0.5ｍｍ変動したときの光量分布を示すグラフである。同図において、横軸は副走査方向（Ｙ方向）の位置を示し、０が読取中心206である。縦軸は読取中心０のバタツキなしのときの光量を１に正規化したものである。図中、３本の線は原稿面204の位置と原稿204の厚さ方向（Ｚ方向）に0.5ｍｍ変動したときのものである。
【００６３】
本実施例において読取位置206での光量に対して副走査方向への変化は、シェーディングを行うことで補正できる。
【００６４】
以下に本発明の実施例１の導光体103の数値実施例１を示す。
【００６５】
数値実施例１においては、原稿搬送方向をＹ、原稿面内のＹ方向と垂直な方向をＸ、原稿面の法線方向をＺ、ＸＹＺ各々の回転軸とする回転角を（α、β、γ）としたとき、導光体の各面の座標（Ｘ、Ｙ、Ｚ）と回転角（α、β、γ）を示している。後述する数値実施例２においても同様である。
【００６６】
原稿面の読取位置206座標（0,0,0）  回転角（0,0,0）
基板202上面座標（0,0,-13）  回転角（0,0,0）
LEDの発光面205中心座標（0,8,-11）  回転角（0,0,0）
導光体の入射面203a座標（0,8,-9.5）  回転角(45,0,0)
導光体の出射面203b座標（0,3.5,-5.5）  回転角（45,0,0）
導光体の反射面203c座標（0,8,-6.5）  回転角（-60,0,0）
導光体の出射面203d座標（0,2.5,-8）  回転角（90,0,0）
導光体の反射面203e座標（-1.46,8,-11）  回転角（0,80,0）
導光体の反射面203f座標（1.46,8,-11）  回転角（0,-80,0）
カバーガラス208座標（0,0,-1.5）  回転角（0,0,0）  厚さ0.7ｍｍ
導光体の材料はアクリルである。
【００６７】
なお、本実施例においては、光源手段201の発光面205の副走査方向の長さＰ、発光面205から原稿面（照射対象物）204の読み取る位置206までの距離Ｈを以下の如く設定している。さらに発光面205の中心軸Ｓと照射対象物の読取軸Ｆとの離間長Ｌ、発光面205と入射面201aとの成す角度θ、導光体203の材料の屈折率ｎを以下の如く設定している。
【００６８】
Ｐ＝２．４(mm)
Ｈ＝１１．５(mm)
Ｌ＝８(mm)
θ＝４５（°）
ｎ＝１．４９１５
よって、
Ｐ／２＝１．２
【数２】
2010277070.tif 000004
【００６９】
Ｌ＋Ｐ／２＝９．２
となる。これは前記条件式(1)を満足している。
【００７０】
このように本実施例では上述した如く導光体を用いた照明装置において、被照射面（原稿面）が変動しても照度の変化を少なくすることができ、また小型でありながら照射効率の高い照明装置を達成することができる。
【００７１】
［実施例２］
次に本発明の照明装置の実施例２について説明する。
【００７２】
図５は本発明の実施例２の照明装置の副走査断面図であり、照明装置と照射対象物として画像情報を有する原稿を配置したときの状態を示している。図６は本発明の実施例２の照明装置の主走査断面図であり、照明装置と照射対象物として画像情報を有する原稿を配置したときの状態を示している。図５、図６では照射対象物としての原稿が、原稿搬送時において、その厚さ方向（Ｚ方向）に変動している（ばたついている。）様子を図示している。
【００７３】
本実施例において前述の実施例１と異なる点は照射対象物（原稿）504の読取軸Ｆに対して読取方向の両側に光源手段501A、501Bと導光体503A、503Bを配置したことである。さらに導光体503A、503Bの出射面503b、503dをシリンドリカル（シリンダ）形状より形成したことである。その他の構成及び光学的作用は実施例１と同様であり、これにより同様な効果を得ている。
【００７４】
つまり、図中、501A、501Bは各々光源手段であり、例えば、TopViewタイプの白色ＬＥＤから成り、基板502に取り付けられている。本実施例のＬＥＤ501A、501Bは各々発光面505A、505Bからの出射角度により出射する光束の光強度分布が異なる特性を有している。
【００７５】
503A、503Bは各々導光体であり、光源手段501A、501Bと同様、基板502に接着剤等で取り付けられており、対応する光源手段501A、501Bから出射された光束をカバーガラス508の上部の原稿（照射対象物）504に導光している。
【００７６】
なお、光源手段501A、501Bと導光体503A、503Bの各要素は照明装置23の一要素を構成している。
【００７７】
本実施例における導光体503A、503Bは読取軸Ｆに対して対称形状より成っている。よって、以下、一方の導光体503Aの形状及び光学的作用について説明する。
【００７８】
本実施例における導光体503Aは、光源手段501Aからの光束が屈折入射する入射面503aを有している。さらに入射面503aから入射した光束を反射する全反射面503cを有している。さらに入射面503aから入射した光束を反射する複数の反射面503e,503fを有している。さらに入射面503aから入射した光束および全反射面503cで反射した反射光を屈折し出射する第１の出射面503bを有している。さらに入射面503aから入射した光束および複数の反射面503e,503fで反射した反射光を屈折し出射する第２の出射面503dを有している。
【００７９】
本実施例における第１、第２の出射面503b、503dはそれぞれ主走査方向もしくは副走査方向に所定のパワー(屈折力)を有するシリンドリカル形状で形成されている。
【００８０】
508は原稿台であり、カバーガラスより成り、その上部を原稿504が副走査方向（Ｙ方向）へ搬送される。
【００８１】
本実施例においては原稿台508の上部を原稿504が副走査方向へ通過する際に各光源手段501A、501Bから出射された光束を対応する導光体503A、503Bを介して原稿面504を両側から照明している。そして原稿面504で反射され拡散された拡散反射光を不図示の読取光学系によりラインセンサー（ＣＣＤ）に導いている。
【００８２】
本実施例においては、導光体503A、503B自体で光源のLED501A、501Bを位置決め可能な形状としている。これにより本実施例では組立性の向上を図っている。
【００８３】
本実施例では、導光体を複数使用し、原稿504を両側から照明することにより、単純に光量を増やすことができる。また副走査方向の位置変化による光量変化が読取位置前後でほとんど変わらないようにすることができる。これにより本実施例ではシェーディング時の補正量を小さくすることができる。
【００８４】
図７は、本実施例の原稿面504が、その厚さ方向（Ｚ方向）に0.5ｍｍ変動したときの光量分布を示すグラフである。同図において、横軸は副走査方向（Ｙ方向）の位置を示し、０が読取中心である。縦軸は読取中心０のバタツキなしのときの光量を１に正規化したものである。図中、３本の線は原稿面504の位置と原稿504の厚さ方向（Ｚ方向）に0.5ｍｍ変動したときのものである。
【００８５】
以下に、本発明の実施例２の導光体503Aの数値実施例２を示す。
【００８６】
原稿面の読取位置504座標（0,0,0）  回転角（0,0,0）
基板502上面座標（0,0,-13）  回転角（0,0,0）
LEDの発光面505A中心座標（0,9,-11）  回転角（0,0,0）
LEDの発光面505B中心座標（0,-9,-11）  回転角（0,0,0）
導光体の入射面503a座標（0,9,-9.5）  回転角(46,0,0)
導光体の出射面503b座標（0,5.0,-4.0）  回転角（46,0,0）  シリンダ半径10mm
導光体の反射面503c座標（0,8.0,-5.5）  回転角（-55,0,0）
導光体の出射面503d座標（0,4.0,-9.0）  回転角（90,0,0）
導光体の反射面503e座標（-1.5,9.0,-11）  回転角（0,85,0）
導光体の反射面503f座標（1.5,9.0,-11.0）  回転角（0,-85,0）
もう一方の導光体503Bは読取軸Ｆ(読取位置506)に対して対称形状である。
【００８７】
カバーガラス508座標（0,0,-1.5）  回転角（0,0,0）  厚さ0.7ｍｍ
導光体503A、503Bの材料は共にアクリルである。
【００８８】
［実施例３］
図８は、本発明の実施例１、２の照明装置を用いた分光装置の要部斜視図である。
【００８９】
図８において、光源手段１と光源手段１からの光束を原稿台１０の上部の原稿（原稿面）４に導く導光体２からなる照明装置８３により、照明された原稿（照射対象物）４からの反射光（被検光束）は導光素子（プリズム）５を介して入射スリット６に導かれる。そして入射スリット６を通過した光束は、分光手段としての凹面反射型回折素子７によって、複数の光束に分光されると共に集光され、受光手段としての受光素子アレイ８に波長ごとにスリット像として結像する。
【００９０】
受光素子アレイ８では波長ごとの光量を電気信号に変換し、分光強度情報を得ることができる。また、本分光装置で得た分光強度情報は不図示の解析装置に送信され、解析装置は入力された分光強度情報を元に内部テーブルから原稿（照射対象物）の絶対色度を算出する測色装置として機能することができる。
【００９１】
なお、図８においてＢ-Ｂ´は原稿４の搬送方向、Ａ-Ａ´は導光素子５を含む光学系の光軸である。４１，４２はそれぞれシアン、マゼンタ色用のテストパターン（原稿）である。
【００９２】
なお、図８ではテストパターンとしてシアン、マゼンタ色用のテストパターン４１，４２を示しているが、これに限らず、他の色用のテストパターンを用いても良い。
【００９３】
実施例１、２の照明装置を用いた分光装置は、被写体の色の識別や測色のために使用される回折格子を用いたカラーセンサに関するものであり、特にレーザビームプリンタ、等の画像形成装置におけるトナーや印字媒体の測色に好適なものである。
【００９４】
また、実施例１、２の照明装置を用いた分光装置は、画像形成装置に限らず、分光測色装置として例えば、デジタルカメラ等のホワイトバランス用センサ、その他の測色装置などとしても使用することができる。
【００９５】
［実施例４］
図９は、本発明の実施例１、２の照明装置を用いた画像読取装置100の要部概略図である。図９では照射対象物としての原稿が、原稿搬送時において、その厚さ方向（Ｚ方向）に変動している（ばたついている。）様子を図示している。同図において図１に示した要素と同一要素には同符番を付している。
【００９６】
図９において、93は照明装置であり、光源手段101と導光体103とを有している。
【００９７】
本実施例における画像読取装置は原稿台108の上部を原稿104が副走査方向へ通過する際に照明装置93で該原稿104を照明する。そして照明された原稿104からの画像情報に基づく反射光（反射光束）は第１、第２、第３の反射ミラー95,96,97を介して結像光学系としての結像レンズ98により読取手段としてのＣＣＤ99面上に結像する。そして原稿104が原稿台108の上部を順次搬送され通過していくので、その間に副走査方向の原稿104の画像情報を順次読み取っていく。
【００９８】
なお、本実施例では原稿104を副走査方向に移動させながら該原稿104の画像情報を読み取っているが、これに限らず、原稿104と読取光学系を含む本体100とを相対的に移動させながら該原稿104の画像情報を読み取るようにしても良い。
【００９９】
また本実施例では１：２走査型の画像読取装置に本発明の照明装置を適用したが、これに限らず、一体型（フラットベッド型）の画像読取装置においても適用することができる。
【０１００】
以上、本発明の好ましい実施例について説明したが、本発明はこれらの実施例に限定されず、その要旨の範囲内で種々の変形及び変更が可能である。
【符号の説明】
【０１０１】
3  照明装置、101  光源手段、102  基板、103  導光体、104  照射対象物、105  発光面、103a  入射面、103b  出射面、103c  反射面
【図１】
2010277070.tif 000006
【図２】
2010277070.tif 000007
【図３】
2010277070.tif 000008
【図４】
2010277070.tif 000009
【図５】
2010277070.tif 000010
【図６】
2010277070.tif 000011
【図７】
2010277070.tif 000012
【図８】
2010277070.tif 000013
【図９】
2010277070.tif 000014